(57)【要約】【課題】歩行者の不安感の軽減及び犯罪抑止に効果的な防犯照明設備を提供することにある。【解決手段】隣接する人体検知範囲Ｂが重複する場合において、歩行者Ｍが左から右方向へ移動して最も手前の照明装置３１の人体検知範囲Ｂ内に入ると、当該照明装置３１の人体検知センサ１２が歩行者Ｍを検知し、この検知により照度制御部１３は点灯部１１を通じて光源１０の照度を低照度から高照度となるように制御する。そして歩行者Ｍが当該照明装置３１の位置を通り過ぎて次の照明装置３２の人体検知センサ１２の人体検知範囲Ｂ内に入る位置Ｘまで移動してくると、当該照明装置３２では人体検知センサ１２が歩行者Ｍを検知し、この検知により上述と同様に照度制御部１３は光源１０の照度を高照度に点灯部１１を通じて制御する。【選択図】  図１
2006092944.tif 000002
【特許請求の範囲】
【請求項１】
光を照射する光源と、人体の存在を検知する人体検知手段と、該人体検知手段によって人体の存在が検知されないときには前記光源を低照度に点灯させ、人体の存在が検知されたときには高照度に前記光源を点灯させる点灯制御手段とを備えた照明装置を街路において複数連続して設置し、互いに隣り合う照明装置の人体検知手段の人体検知範囲を街路長手方向において接するか若しくは重複させ、重複部分の街路長手方向の長さを照明装置の設置間隔以下とし、且つ高照度で光源を点灯させたときに一定照度以上得られる照射範囲の照明装置の位置から街路長手方向の長さを、前記設置間隔から前記重複部分の長さを減算した値の１／２の値と１０ｍとを加算した値以上とするとともに、低照度で光源を点灯させているときの当該照明装置の照射範囲の平均水平面照度を１ルクス以上としたことを特徴とする防犯照明設備。
【請求項２】
前記照明装置の照射範囲を、隣り合う照明装置の照射範囲に対する重複部分の長さがほぼ０ｍとなるように設定していることを特徴とする請求項１記載の防犯照明設備。
【請求項３】
前記照明装置の人体検知手段の人体検知範囲を街路長手方向に夫々２０ｍとしたことを特徴とする請求項１又は２記載の防犯照明設備。
【発明の詳細な説明】
【技術分野】
【０００１】
本発明は、屋外の街路における犯罪防止と不安感軽減とを効果的に行うための防犯照明設備に関するものである。
【背景技術】
【０００２】
従来、屋外に設置され、人検知により照明が制御されるセンサライトは、人が動くことにより熱量の変化を検知するセンサを備え、このセンサによって人が近づいたことを検知すると照明器具を点灯し、人の検知がなくなれば照明器具を消灯するものである。
【０００３】
一方道路灯と設置される照明装置にも人体検知センサを設置し、照明エリア内に人が存在しないときには低照度で点灯させ、照明エリア内に人が存在しているときには高照度で点灯させるものが提供されている（例えば特許文献１）。
【０００４】
また道路に所定間隔で設置した照明装置に対応するよう移動体検知センサを設け、人や車等の移動体を検知したときに、最寄り照明装置及び進行方向の前方の照明装置の照度を高める道路通行設備も提供されている（例えば特許文献２）。
【特許文献１】特開２００３−３０８９８６号公報（段落番号０００７）
【特許文献２】特開２００２−５６９９１号公報（段落番号００１６〜００１７）
【発明の開示】
【発明が解決しようとする課題】
【０００５】
上述のセンサライトは例えば人を検知するセンサの検知範囲が例えば縦１０ｍ×横１０ｍ程度、照明器具の照射範囲が縦５ｍ×横５ｍ程度で、主に住宅周りに設置して照明装置の点灯によって侵入者を威嚇することを目的としているものであり、歩行者に防犯上において安心感を与えるものではなかった。
【０００６】
また特許文献１、２にて示される照明装置は、横断歩道や駐車場或いは車道のような人や車が通行する箇所における安全性を高めるためのものであるが、歩行者に対する犯罪発生を防ぐために考慮された照明装置や設備とは言えなかった。
【０００７】
一方、近年の犯罪増加を考えると街路においても防犯性を考慮した照明装置の整備が希求されている。そのため照明と犯罪との関係についての研究が為されており、例えば１０ｍ先まで接近した「誰か他の人」を特定し、その距離でその人間の行動が或る程度予測できれば、安心感が増大し、その際照明の果たす役割が大きいという「照明と犯罪」との関係に関する研究結果も報告されている（Anne Laidebeur,"Lightng,pedestrians and the city",Internatiol Lighting Revew, 2/1987、50-53及び、Hall,E.T."The hidden dimension",Anchor books、1966, Doubleday & Company Inc、New York  参照）。
【０００８】
本発明は、上述の点に鑑みて為されたもので、その目的とするところは街路全体に亘って、人の不在時に最低限の明るさを確保しつつ、人検知時には明るさの変化がわかるように高照度に変化させることができ、歩行者の不安感の軽減及び犯罪抑止に効果的な防犯照明設備を提供することにある。
【課題を解決するための手段】
【０００９】
上述の目的を達成するために、請求項１の発明では、光を照射する光源と、人体の存在を検知する人体検知手段と、該人体検知手段によって人体の存在が検知されないときには前記光源を低照度に点灯させ、人体の存在が検知されたときには高照度に前記光源を点灯させる点灯制御手段とを備えた照明装置を街路において複数連続して設置し、互いに隣り合う照明装置の人体検知手段の人体検知範囲を街路長手方向において接するか若しくは重複させ、重複部分の街路長手方向の長さを照明装置の設置間隔以下とし、且つ高照度で光源を点灯させたときに一定照度以上得られる照射範囲の照明装置の位置から街路長手方向の長さを、前記設置間隔から前記重複部分の長さを減算した値の１／２の値と１０ｍとを加算した値以上とするとともに、低照度で光源を点灯させているときの当該照明装置の照射範囲の平均水平面照度を１ルクス以上としたことを特徴とする。
【００１０】
請求項１の発明によれば、人体が検知されていないときにも最低限の明るさを街路全体に亘って確保することができ、しかも隣り合う照明装置同士の人体検知手段の人体検知範囲が接するか重複しているため、街路上に人体検知範囲の抜けがなく、その結果人体が検知されない場所がなく、また重複部分の長さが照明装置の設置間隔以下であるため、歩行者がある照明装置の人体検知範囲を通過した後、歩行前方の照明装置の人体検知範囲に入ると、当該照明装置の光源による照射範囲の明るさが低照度から高照度へ変化し、歩行者から見ると進行方向にグレアがなくて前方の照明装置の明るさの変化がわかることになり、歩行者の不安感を低減でき、また光源を気付き易く、更に前記照明装置の照射範囲を照明装置の位置から街路長手方向に、前記設置間隔から前記重複部分の長さを減算した値の１／２の値と１０ｍとを加算した値以上としたので、前方の照明装置が高照度になる前でも歩行者の少なくとも１０ｍ先までは歩行者の直ぐ近くの照明装置にて照明されるため、１０ｍ先の視認性を確保することができ、そのため余裕を持って危険回避ができ、その結果安心して歩行ができ、更にまた人体が検知されていないときの平均水平面照度が１ルクス以上としているため、遠方からの障害物の視認に充分な明るさを確保することができる。
【００１１】
請求項２の発明では、請求項１の発明において、前記照明装置の照射範囲を、隣り合う照明装置の照射範囲に対する重複部分の長さがほぼ０ｍとなるように設定していることを特徴とする。
【００１２】
請求項２の発明によれば、照明制御が為された照明装置以外の照明装置からの照度の影響が少ないため、明るさ変化がよりわかり易くなり、結果歩行者にとって明るさ変化を気付き易い。
【００１３】
請求項３の発明では、請求項１又は２の発明において、前記照明装置の人体検知手段の人体検知範囲を街路長手方向に夫々２０ｍとしたことを特徴とする。
【００１４】
請求項３の発明によれば、一般的に２０ｍ〜４０ｍ間隔で設置されている既設の電柱に照明装置を取り付けるだけで街路上に検知範囲の抜けを無くした設置ができ、しかも歩行者から見て直近の照明装置の明るさが変化するので変化がわかり易い。
【発明の効果】
【００１５】
本発明は、街路全体に亘って、人の不在時に最低限の明るさを確保しつつ、人検知時には明るさの変化がわかるように高照度に変化させることができ、不安感の軽減及び犯罪抑止に効果的な防犯照明設備を実現できるという効果がある。
【発明を実施するための最良の形態】
【００１６】
以下本発明を実施形態により説明する。
（実施形態１）
本実施形態の防犯照明設備は図１、図２に示すように街路１の片側端に設けられた電柱２に共架しているか独立柱に取り付けた照明装置３１…を街路１に沿って連続的に設置することで構成される。
【００１７】
使用される各照明装置３は、図３に示すように蛍光灯等の光源１０と、この光源１０を点灯させる例えばインバータ回路を用いた点灯部１１と、焦電センサ等を用いた人体検知手段である人体検知センサ１２と、この人体検知センサ１２が人体の存在を検知していないときには光源１０の照度を低照度となるように点灯部１１を通じて制御し、人体の存在を検知しているときには光源１０の照度を高照度となるように点灯部１１を通じて制御する照度制御部１３とを備え、点灯部１１及び照度制御部１３により点灯制御手段を構成している。尚各照明装置３１…の照度制御部１３には夜間など周囲が一定照度以下になると光源１０を点灯状態とするために照度センサ１４（或いはタイマ）の信号を受けて点灯部１１を動作させる自動点滅機能を備えている。
【００１８】
ここで本実施形態の防犯照明設備では道路の片側に設けられた設置間隔がＳの電柱２に高さ位置が道路面から４ｍ乃至６ｍ（通常は４．５ｍ）となるように照明装置３１…を取り付け、且つ各照明装置３１…の全体の照射範囲Ａを短軸の一端位置が設置位置となる略楕円形状とするとともに照射範囲Ａの長軸を道路の中央の軸方向に設定し、隣接する照明装置３１…の照射範囲Ａ同士を互いに重複させている。各照射範囲Ａは対応する照明装置３１…の光源１０が低照度で点灯しているときの平均水平面照度が１ルクス以上あって、水平面照度が０．３ルクス以上ある範囲としている。
【００１９】
また各照明装置３１…の全体の人体検知範囲Ｂは略角丸四角形状であって、当該照明装置３から見て長手方向の片側方向の長さを人体検知範囲の長さＬｓとしており、その人体検知範囲（検知エリアＢ）が隣り合う人体検知範囲Ｂと重複する部分（街路１の長手方向）の長さをＯＬとした場合、重複部分の長さＯＬ（ｍ）が０≦ＯＬ≦Ｓを満足している場合、重複部分の長さＯＬと、設置間隔Ｓと、楕円形状の照射範囲Ａの長軸方向の１／２の長さ、つまり照明装置３の位置から街路１に沿った照射範囲Ａの片側方向の長さＬｉとの関係が次式の通りとなるように設置間隔Ｓ、照射範囲Ａの長手方向の１／２の長さＬｉ、重複部分の長さＯＬを設定している。設置間隔Ｓは実際的には０ｍよりも大きな間隔であるのは言うまでもない。
【００２０】
Ｌｉ≧［（Ｓ−ＯＬ）／２＋１０］    
而して周囲の明るさが一定以下となると、各照明装置３１…は一斉に点灯動作する。このとき人体検知センサ１２が人を検知していない照明装置３１…では照度制御部１３の働きにより光源１０が点灯部１１を通じて低照度に制御される。
【００２１】
さて図１（ａ）に示すように隣接する人体検知範囲Ｂが重複する場合において、歩行者Ｍが左から右方向へ移動して最も手前の照明装置３１の人体検知範囲Ｂ内に入ると、当該照明装置３１の人体検知センサ１２が歩行者Ｍを検知し、この検知により照度制御部１３は点灯部１１を通じて光源１０の照度を低照度から高照度となるように制御する。そして歩行者Ｍが当該照明装置３１の位置を通り過ぎて次の照明装置３２の人体検知センサ１２の人体検知範囲Ｂ内に入る位置Ｘまで移動してくると、当該照明装置３２では人体検知センサ１２が歩行者Ｍを検知し、この検知により上述と同様に照度制御部１３は光源１０の照度を高照度に点灯部１１を通じて制御する。このとき歩行者Ｍが位置Ｘへ移動する直前では、照射範囲の長さＬｉは歩行者Ｍの位置から前方に１０ｍ以上あることになり、歩行者Ｍにとって前方１０ｍ以上の視認性が確保されることになる。更に位置Ｘを過ぎた後は照明装置３２ による照射範囲Ａに入るため、常に１０ｍ以上の視認性が確保されることになる。つまり上述した研究結果と同様に「誰か他の人」を特定し、その距離でその人間の行動が或る程度予測できる範囲の視認性が確保できるため、歩行者にとって犯罪に対する安全性が確保されることとなる。
【００２２】
尚図１（ａ）は隣り合う人体検知範囲Ｂが重複し且つその重複部分の長さＯＬが人体検知範囲Ｂの１／２の長さＬｓよりも小さい場合であったが、図１（ｂ）に示すように重複部分の長さＯＬが０，つまり重複せず人体検知範囲Ｂ同士が接する場合や、図１（ｃ）に示すように人体検知範囲Ｂの重複部分の長さＯＬが設置間隔Ｓと同じ場合でも上述のようにその人間の行動が或る程度予測できる範囲の視認性が確保できるため、歩行者Ｍにとって犯罪に対する安全性が確保されることとなる。
【００２３】
ここで図４に示すように５ｍ幅の街路１の片側に４０ｍ間隔に設置されている電柱に例えば４．５ｍの高さ位置に照明装置３１…を取り付けた実際例について説明する。この場合各照明装置３１…に使用される人体検知センサ１２の人体検知範囲Ｂの片側方向の長さＬｓを２０ｍ、つまり両隣りの人体検知範囲Ｂが接して重複部分の長さＯＬが０（図１（ｂ）の例に対応）となっている。そして低照度で点灯している場合には取り付け位置から見て左側の照度分布は右端の照明装置３３ の左側で示すような照度分布となり、右側の照度分布は中央の照明装置３３の右側で示すような照度分布となっている。
【００２４】
而して図４において左側から進行する歩行者が左端の照明装置３１の人体検知センサ１２によって検知され、当該照明装置３１の照明が低照度から高照度に変化すると、図示するような水平面照度分布（図示する照度分布を示す線上の数字が照度の値）を呈することになる。
【００２５】
ところで、０．３ルクス以上と規定される照射範囲Ａの長手方向の１／２の長さＬｉは設置間隔Ｓが４０ｍ、人体検知範囲の重複部分の長さＯＬが０という実際例では照明範囲Ａの全長の１／２の長さＬｉは、Ｌｉ≧［（４０−０）／２＋１０］（ｍ）から３０ｍ以上と必要となる。
【００２６】
ここで高照度に点灯した照明装置３１に隣接する中央の照明装置３２から見て左側（街路左）と、右側（街路右）の平均照度、最小照度、最大照度を夫々求めたところは表１に示すようになった。
【００２７】
【表１】
2006092944.tif 000003
【００２８】
この表１で示す結果から見て高照度に点灯した照明装置３１及び隣接する照明装置３２ の０．３ルクス以上の照射範囲は３０ｍ以上確保できることになる、従って歩行者は進行方向に対して視認性を確保することができていることがわかる。
【００２９】
ここで図４の場合には左端の照明装置３１が人体検知により高照度と変化すると、隣接する中央の照明装置３２から見て左側（街路左）と、照射範囲Ｂに重複する部分３０ｍ付近も０．３ルクス以上となり、左から２灯目の照明装置３２が点灯する場合にも視認性を確保することができていることがわかる。
【００３０】
尚照明装置３１…には低照度や高照度の照度制御による水平照度分布が図４に示すようになるように照明装置３１…の使用光源１０、照度制御の諸元設定値が取り付け高さなど設置条件を考慮して予め設定されているものを使用しているの言うまでもない。
（実施形態２）
上記実施形態１では隣接する照射範囲Ａが重複する形であったが、本実施形態では、図５に示すように照射範囲Ａが楕円でなく角丸四角形状となる照明装置３１…を、隣接する照射範囲Ａが重複せず接するように設定し、高照度点灯したときにつまり照明装置３１…の人体検知センサ１２が人体を検知したときに当該照射範囲Ａ内の街路（道路）全体を高照度で照明できるようにした点に特徴があり、高照度に照度が変化した照明装置以外からの照明の影響はないため照度が変換したことがわかり易くしている。
【図面の簡単な説明】
【００３１】
【図１】実施形態１の街路を上部から見たときの照明装置の設置状態、照射範囲、人体検知範囲の関係を示す模式図であって、（ａ）は隣り合う人体検知範囲が重複している場合を、（ｂ）は隣り合う人体検知範囲が重複せず接している場合を、（ｃ）は人体検知範囲の重複部分の長さが照明装置の設置間隔と同じ場合を夫々示す。
【図２】実施形態１の照明装置の概略設置構成図である。
【図３】実施形態１の照明装置の回路ブロック図である。
【図４】実施形態１の１実際例の照度分布図である。
【図５】実施形態２の街路を上部から見たときの照明装置の設置状態、照射範囲、人体検知範囲の関係を示す模式図である。
【符号の説明】
【００３２】
３１…  照明装置
Ａ    照射範囲
Ｂ    人体検知範囲
Ｌｉ  照射範囲Ａの長手方向の１／２の長さ
Ｌｓ  人体検知範囲の長手方向の１／２の長さ
Ｓ    設置間隔
Ｍ    歩行者
Ｘ    位置
【図１】
2006092944.tif 000004
【図２】
2006092944.tif 000005
【図３】
2006092944.tif 000006
【図４】
2006092944.tif 000007
【図５】
2006092944.tif 000008